(57)【特許請求の範囲】
【請求項１】
前面に表示装置を備えた自動取引装置用の多機能ブースであって、
平面部とこれと角度を成す周囲片部を持つ形状をしており、周囲片部が自動取引装置の左側面に接する様にしてこの面に実装される左フードと、
平面部とこれと角度を成す周囲片部を持つ形状をしており、周囲片部が自動取引装置の右側面に接する様にしてこの面に実装される右フードと、
平面部とこれと角度を成す周囲片部を持つ形状をしており、周囲片部が自動取引装置の背面と左右のフードに接する様にして実装されるリアフードと、
膨らみ或いは高さを持ち、周辺部が自動取引装置の天面と前記各フードの天面に接する様にしてこれらの天面を覆うトップフードから構成され、
前記左フード、前記右フード、前記リアフード及びトップフードはそれぞれが内部に独立した空間を形成し、
前記左フード又は前記右フードの少なくとも一方は、底部に開口部を有し、開口部と同じ側面に設けられた自動取引装置の吸気部を囲んでおり、
前記開口部から取り込んだ空気を前記吸気部に導き、
前記トップフードは排気用スリットを有し、前記リアフードは、天面が開口しており、また自動取引装置の背面に設けられた排気部を囲んでおり、前記排気部からの排気を前記スリットに導くことを特徴とする多機能ブース。
【請求項２】
前記左フード或いは右フードの底部に、開口部に面して、引き出し可能なフィルタユニットを備え、前記フィルタユニットが、フィルタトレーとこれに挟み込まれたフィルタを有し、前記フィルタトレーが、トレーベースと、これに回動可能に取り付けられたトレー上部カバーから構成されたことを特徴とする請求項１に記載の多機能ブース。
【請求項３】
前記フィルタユニットを備えるフードは、周囲片部の下方に、吸気部アクセス用の窓或いは切り欠きと、それを開閉する回動可能な小扉を備えることを特徴とする請求項２記載の多機能ブース。
【請求項４】
自動取引装置と、自動取引装置を囲む多機能ブースとを備えたブース一体型自動取引装置であって、
自動取引装置は、前面に表示装置を備え、左側面又は右側面の少なくとも一方に吸気部を備え、
多機能ブースは、平面部とこれと角度をなす周囲片部を持つ形状をしており、周囲片部が自動取引装置の左側面に接する様にしてこの面に実装された左フードと、
平面部とこれと角度をなす周囲片部を持つ形状をしており、周囲片部が自動取引装置の右側面に接する様にしてこの面に実装された右フードと、
平面部とこれと角度をなす周囲片部を持つ形状をしており、周囲片部が自動取引装置の背面と左右のフードに接する様にして実装されたリアフードと、
膨らみ或いは高さを持ち、周辺部が自動取引装置の天面と前記各フードの天面に接する様にしてこれらの天面を覆うトップフードとを備え、
前記左フード、前記右フード、前記リアフード及びトップフードはそれぞれが内部に独立した空間を形成し、
前記左フード又は右フードの少なくとも一方は、前記吸気部と同じ側面の底部に開口部を有し、これより取り込む空気を前記吸気部に導き、
前記トップフードは排気用スリットを有し、前記リアフードは、天面が開口しており、前記排気部からの排気を前記スリットに導くことを特徴とするブース一体型自動取引装置。
【請求項５】
前記左フード或いは右フードの底部に、開口部に面して、引き出し可能なフィルタユニットを備え、前記フィルタユニットが、フィルタトレーとこれに挟み込まれたフィルタを有し、前記フィルタトレーが、トレーベースと、これに回転可能に取り付けられたトレー上部カバーから構成されたことを特徴とする請求項４に記載のブース一体型自動取引装置。
【請求項６】
前記フィルタユニットを備えるフードは、周囲片部の下方に、吸気部アクセス用の窓或いは切り欠きと、それを開閉する回転可能な小扉を備えることを特徴とする請求項５記載のブース一体型自動取引装置。
【発明の詳細な説明】
【技術分野】
【０００１】
本発明は多機能ブース、及びブース一体型自動取引装置に関し、特に、自動取引装置に取り付けられ周囲の外観に調和させるばかりでなく、自動取引装置を保護（遮熱）し、また自動取引装置にエアフローとクリーンな空気を与える多機能ブース及びブース一体型自動取引装置に関する。
【背景技術】
【０００２】
従来の自動取引装置（以下ＡＴＭとする）用ブースは店舗内への調和等、美観を重視した形状となっているか、もしくは、防犯機能を有した重厚な作りの物となっている。
【０００３】
自動取引装置（以下ＡＴＭとする）と一体型のブースとしては、例えば、内装工事を行なわなくとも、店舗に簡単に設置して店舗内のインテリアに調和させることができ、かつＡＴＭの画面情報のプライバシーが守れるブースが提案されている。
【０００４】
このブースは、ＡＴＭを囲む両側壁面と天板を有する門型のメインフレームと、該メインフレームの前面の開口部に垂直方向に取付けられる化粧パネルと、該メインフレームに水平方向に取り付けられるテーブルと、該メインフレームの背面に形成される自動取引装置の収容口とを備え、ブース前面は、前記自動取引装置の表示部を露出する開口部と、自動取引装置の垂直面と垂直面に連続する水平面の一部を露出する開口部とを備えている（特許文献１参照）。
【０００５】
【特許文献１】特開平７-３２０１１３号公報（第１頁）
【発明の開示】
【発明が解決しようとする課題】
【０００６】
従来より、図１０に示す様にコンビニエンスストア等に置かれたＡＴＭの場合、窓際に設置されるケースが多く、直射日光２７がＡＴＭ本体に当たりＡＴＭ内の温度が季節により急激に上昇し、装置動作に影響を及ぼす場合があった。
【０００７】
また、ＡＴＭ冷却用の空気を吸入する際、ＡＴＭ本体から排気された暖かい空気が一緒に再度吸気される場合もあり、冷却用として吸気すべきところを暖かい空気も一緒に吸気している可能性もあった。
【０００８】
更にコンビニエンスストア等の場合は店舗入り口が人の出入りで頻繁に開くため、店舗内への外部からの埃進入等、店舗の設置場所により店舗内の埃が非常に多い場所もあり、ＡＴＭ内に冷却用空気と一緒に進入した埃により、ＡＴＭ内実装機器のセンサー等が動作エラーを引き起こしていた。
【０００９】
上記従来のＡＴＭ用ブースでは、インテリアとしての装飾機能や、防犯機能を有しているものの上記問題には対応できない。
【００１０】
本発明の目的は、コンビニエンスストア等の店舗内に設置されたＡＴＭに取り付けられ、店舗内の周囲の外観に調和させるばかりでなく、ＡＴＭを保護（遮熱）し、またＡＴＭにエアフローとクリーンな空気を与える多機能ブースを提供することにある。
【００１１】
本発明の他の目的は、前記多機能ブースと一体となったブース一体型ＡＴＭを提供することにある。
【課題を解決するための手段】
【００１２】
本発明の第１の多機能ブースは、前面に表示装置を備えた自動取引装置用の多機能ブースであって、平面部とこれと角度を成す周囲片部を持つ形状をしており、周囲片部が自動取引装置の左側面に接する様にしてこの面に実装される左フードと、平面部とこれと角度を成す周囲片部を持つ形状をしており、周囲片部が自動取引装置の右側面に接する様にしてこの面に実装される右フードと、平面部とこれと角度を成す周囲片部を持つ形状をしており、周囲片部が自動取引装置の背面と左右のフードに接する様にして実装されるリアフードと、膨らみ或いは高さを持ち、周辺部が自動取引装置の天面と前記各フードの天面に接する様にしてこれらの天面を覆うトップフードから構成され、前記各フードが自動取引装置の対応する面に実装されると、それぞれが内部に空間を形成し、全体として自動取引装置の周囲を覆う空気層を成す。
【００１３】
本発明の第２の多機能ブースは、前記第１の多機能ブースであって、前記左フード、前記右フード、前記リアフード及びトップフードはそれぞれが内部に独立した空間を形成し、前記左フードは、底部に開口部を有し、また自動取引装置の左側面に設けられた吸気部を囲んでおり、前記開口部から取り込んだ空気を前記吸気部に導き、前記トップフードは排気用スリットを有し、前記リアフードは、天面が開口しており、また自動取引装置の背面に設けられた排気部を囲んでおり、前記排気部からの排気を前記スリットに導く。
【００１４】
本発明の第３の多機能ブースは、前記第１の多機能ブースであって、前記左フード、前記右フード、前記リアフード及びトップフードはそれぞれが内部に独立した空間を形成し、前記右フードは、底部に開口部を有し、また自動取引装置の右側面に設けられた吸気部を囲んでおり、前記開口部から取り込んだ空気を前記吸気部に導き、前記トップフードは排気用スリットを有し、前記リアフードは、天面が開口しており、また自動取引装置の背面に設けられた排気部を囲んでおり、前記排気部からの排気を前記スリットに導く。
【００１５】
本発明の第４の多機能ブースは、前記第２、又は第３の多機能ブースであって、前記左フード或いは右フードの底部に、開口部に面して、引き出し可能なフィルタユニットを備え、前記フィルタユニットが、フィルタトレーとこれに挟み込まれたフィルタを有し、前記フィルタトレーが、トレーベースと、これに回動可能に取り付けられたトレー上部カバーから構成される。
【００１６】
本発明の第５の多機能ブースは、前記第４の多機能ブースであって、前記フィルタユニットを備えるフードは、周囲片部の下方に、吸気部アクセス用の窓或いは切り欠きと、それを開閉する回動可能な小扉を備える。
【００１７】
本発明の第１のブース一体型自動取引装置は、自動取引装置と、自動取引装置を囲む多機能ブースとを備えたブース一体型自動取引装置であって、自動取引装置は、前面に表示装置を備え、多機能ブースは、平面部とこれと角度をなす周囲片部を持つ形状をしており、周囲片部が自動取引装置の左側面に接する様にしてこの面に実装された左フードと、平面部とこれと角度をなす周囲片部を持つ形状をしており、周囲片部が自動取引装置の右側面に接する様にしてこの面に実装された右フードと、平面部とこれと角度をなす周囲片部を持つ形状をしており、周囲片部が自動取引装置の背面と左右のフードに接する様にして実装されたリアフードと、膨らみ或いは高さを持ち、周辺部が自動取引装置の天面と前記各フードの天面に接する様にしてこれらの天面を覆うトップフードとを備え、前記自動取引装置の対応面に実装された各フードが、内部に空間を形成し、全体として自動取引装置の周囲を覆う空気層を成す。
【００１８】
本発明の第２のブース一体型自動取引装置は、前記第１のブース一体型自動取引装置であって、前記自動取引装置は左側面に吸気部を備え、背面に排気部を備え、前記多機能ブースの前記左フード、前記右フード、前記リアフード及びトップフードはそれぞれが内部に独立した空間を形成し、前記左フードは、底部に開口部を有し、これより取り込む空気を前記吸気部に導き、前記トップフードは排気用スリットを有し、前記リアフードは、天面が開口しており、前記排気部からの排気を前記スリットに導く。
【００１９】
本発明の第３のブース一体型自動取引装置は、前記第１のブース一体型自動取引装置であって、前記自動取引装置は右側面に吸気部を備え、背面に排気部を備え、前記多機能ブースの前記左フード、前記右フード、前記リアフード及びトップフードはそれぞれが内部に独立した空間を形成し、前記右フードは、底部に開口部を有し、これより取り込む空気を前記吸気部に導き、前記トップフードは排気用スリットを有し、前記リアフードは、天面が開口しており、前記排気部からの排気を前記スリットに導く。
【００２０】
本発明の第４のブース一体型自動取引装置は、前記第２、又は第３のブース一体型自動取引装置であって、前記左フード或いは右フードの底部に、開口部に面して、引き出し可能なフィルタユニットを備え、前記フィルタユニットが、フィルタトレーとこれに挟み込まれたフィルタを有し、前記フィルタトレーが、トレーベースと、これに回転可能に取り付けられたトレー上部カバーから構成される。
【００２１】
本発明の第５のブース一体型自動取引装置は、前記第４のブース一体型自動取引装置であって、前記フィルタユニットを備えるフードは、周囲片部の下方に、吸気部アクセス用の窓或いは切り欠きと、それを開閉する回転可能な小扉を備える。
【発明の効果】
【００２２】
本発明においては、以下に記載するような効果を奏する。
【００２３】
第１の効果はＡＴＭ本体を囲むようにフードを取付け、ＡＴＭと一体化することでＡＴＭ周囲に空気の層を作り直射日光がＡＴＭ本体に当たることを防止するとともに熱伝導によるＡＴＭ本体内の温度上昇を軽減することである。
【００２４】
第２の効果はＡＴＭと一体化したブースであるが、取付フードのそれぞれが独立した個々の空間であることから、排気空気が吸気空気として混ざること無く、独立したエアフローを実現していることである。
【００２５】
第３の効果は吸気側のフードの底面に実装しているフィルタにて、ＡＴＭ本体へ吸気する空気と一緒に進入する埃を吸着し、ＡＴＭ本体内への埃進入を防止することである。
【００２６】
第４の効果は吸気部のフィルタ目詰まりが想定されるが、フィルタユニットは独立したトレー構造となっており、引き出し操作を可能とすることで容易にフィルタの清掃交換を可能としていることである。
【００２７】
これらの効果の他にも、ブースを取り付けることで、自動的にＡＴＭの操作スペースの幅が広くなるし、また周囲の外観と調和させる。
【発明を実施するための最良の形態】
【００２８】
次に、本発明を実施するための最良の形態について図面を参照して詳細に説明する。
【００２９】
本発明の第１実施例を説明する。
【００３０】
図１は、本発明の多機能ブースの取付外観や、取り付け後のブース一体型ＡＴＭ３０の外観を示した図である。
【００３１】
図１を参照し、ＡＴＭ（自動取引装置）本体２０の前面には表示装置２０−１、カード挿入口２０−２、レシート排出口２０−３を備えている。
【００３２】
ＡＴＭ本体２０の左側面、右側面、背面、天面にはそれぞれ左フード１、右フード２、リアフード３、トップフード４が実装される。
【００３３】
多機能ブースはこれら４つのフードから構成されている。
【００３４】
左フード１は平面部１−１とこれと角度（例えば直角）を成す周囲片部１−２を持つ形状である。ここで平面部、周囲片部は部位名であり、部品の名称ではない。
【００３５】
右フード２も平面部とこれと角度（例えば直角）を成す周囲片部を持つ形状である。
【００３６】
リアフード３も平面部とこれと角度（例えば直角）を成す周囲片部を持つが、上部には周囲片は無い形状である。
【００３７】
トップフード４は、膨らみを持ち、周辺部４−１がＡＴＭ本体２０の天面と前記各フードの天面に接する様にしてこれらの天面を覆う。
【００３８】
この様な、盆状の各フードでＡＴＭ本体２０を囲むことでＡＴＭ本体２０へ直射日光が当たるのを防止し、また左フード１、右フード２、リアフード３とトップフード４がそれぞれ内部に独立した空間を持つことになるので、空気層によりＡＴＭ本体２０が遮熱される（ＡＴＭ本体２０への熱が遮断される）。
【００３９】
図２は、図１のブース一体型ＡＴＭ３０の左側面、前面、右側面、背面の４面図である。
【００４０】
図６にＡＴＭ本体２０の冷却空気吸気部２１と装置内空気排気部２２を示す。ここで、図１に示す左フード１とリアフード３がそれぞれ、ＡＴＭ本体２０の左側面、背面に取り付けられるとこれらの各フードが独立した個々の空間を持つことになる。
【００４１】
このため、吸気と排気とで分けられた経路を確立させ、吸気された空気と排気された空気が混ざることなく流れる。
【００４２】
即ち、左フード１とリアフード３が図７に示す吸気２３排気２４のエアフロー経路の分離を実現している。
【００４３】
図３はＡＴＭ吸気側へ取り付けた左フード１の底面にフィルタユニット５が実装されていることを示す外観図である。
【００４４】
本図に示す様に、左フード１底面へ実装したフィルタユニット５にてＡＴＭ冷却用空気２５を吸気する際に埃を除去し、クリーンな冷却用空気２６を装置内に送り込むことが出来る。
【００４５】
図４は図３にて示す左フード１の底面へ実装されるフィルタユニット５の実装形態を示す図である。
【００４６】
本図にて埃吸着フィルタ９はフィルタトレー６に実装され、トレー自身を引き出すことで、トレーに取り付けた埃吸着フィルタ９の清掃交換が容易に出来る。
【００４７】
図５は、図４に示すフィルタトレー６の詳細な構成を示した図である。本図において、フィルタトレー６はトレー上部カバー７とトレーベース８により構成され、トレー上部カバー７は、回動可能な様にトレーベース８に取り付けられている。
【００４８】
従って、トレー上部カバー７を開けることで、挟み込んである埃吸着フィルタ９を容易に交換清掃することが出来る。
【００４９】
以上詳細に実施例の構成を述べたが、図６の冷却空気吸気部２１と装置内空気排気部２２は、当業者にとってよく知られており、その詳細な構成は省略する。
【００５０】
次に、本発明を実施するための最良の形態の動作について図面を参照して説明する。
【００５１】
図８を参照し、直射日光によるＡＴＭ本体内の温度上昇が軽減される動作について説明する。
【００５２】
店舗によりＡＴＭ設置場所は異なるが、窓際に設置された場合、図１０に示す様に直射日光２７にてＡＴＭが直接暖められることになる。
【００５３】
ＡＴＭが多機能ブースを装着することで、図８に示す様に、直射日光２７はブースの各フードに当たる。
【００５４】
多機能ブースのリアフード３には独立した空気の空間２８があり、本空間の存在により熱がＡＴＭ本体に伝わりにくく、直射日光によるＡＴＭ本体内の温度上昇を軽減する。
【００５５】
左フード１、右フード２についても同様である。
【００５６】
次に図３を参照し、吸気空気のエアフローを説明する。本図において冷却用空気２５を装置外から吸気し、左フード１の底部に実装の埃吸着フィルタ９にて吸気時の埃を除去し、クリーンな冷却用空気２６を装置内に供給する。
【００５７】
図７を参照し、排気空気のエアフローを説明する。本図においてＡＴＭ本体から排気された空気２４は独立した空間をもつリアフード３を通り、このフードの天面は開放されているでトップフード４に向かい、これに設けられた排気用スリット１０を通過し装置外へ排出される。
【００５８】
ＡＴＭ取付フードを個々の独立した空間もつフードにすることで、排気された空気を吸気側に流入させることがない構造としている。
【００５９】
次に、本発明の第２の実施例について説明する。本実施例の基本的構成は上記の通りであるが、図４の左フード１についてさらに工夫している。その構成を図９に示す。
【００６０】
本図を参照し、左フード１は、手前の周囲片部の下方に窓或いは切り欠きを有し、これを開閉する小扉１１を有する。
【００６１】
小扉１１は平面部との稜線（平面部と、窓或いは切り欠き部との稜線）、或いはこれに近くかつ平行な線を軸として回動可能に左フード１に取り付けられている。
【００６２】
これにより、ＡＴＭ本体の冷却空気吸気部２１に直接アクセス出来、図３に示すフィルタユニット５にて除去出来ず、ＡＴＭ本体内へ進入する埃に対し、ＡＴＭ本体の冷却空気吸気部２１のフィルタにて除去する埃の清掃等をＡＴＭ外部から容易に出来るという効果が得られる。
【００６３】
以上の実施例の説明では、ＡＴＭ本体の冷却空気吸気部２１がＡＴＭ本体の左側面に設けられ、左フード１の底部に開口部を有し、これに面してフィルタユニット５が備えられている例で説明したが、ＡＴＭ本体の冷却空気吸気部２１を右側面に設け、右フード２の底部に開口部を有し、これに面してフィルタユニット５を備える実施例もある。
【００６４】
また、これらを併せた実施例もある。
【００６５】
また、フィルタユニット５を備えない実施例もある。
【００６６】
また、左フード１、右フード２、リアフード３の形状を周囲片部の端を直角に内側に折り返した様な形状（平面部の対向面が、ＡＴＭに接するためのしろを残して開口している形状）とする実施例もある。
【００６７】
トップフード４は、曲面状でなく箱状であってもよい。また周辺部４−１を若干内側に折り返し、折り返した部分をＡＴＭ天面や他のフード天面に接するしろとしてもよい。
【図面の簡単な説明】
【００６８】
【図１】本発明の多機能ブースの取付外観や、ブース一体型ＡＴＭの外観を示した図。
【図２】図１のブース一体型ＡＴＭ３０の左側面、前面、右側面、背面の４面図。
【図３】図１の左フード１の底面にフィルタユニット５が実装されていることを示す外観図。
【図４】図３のフィルタユニット５の実装形態とフィルタトレー６を示す図。
【図５】図４のフィルタトレー６の詳細な構成を示す図。
【図６】本発明のＡＴＭ本体の冷却空気吸気部２１と装置内空気排気部２２を示す図。
【図７】本発明の吸気２３と排気２４のエアフローを説明する図。
【図８】本発明の、ＡＴＭ本体内の温度上昇の軽減動作を説明するための図。
【図９】本発明の第２の実施例の左フード１の構成を示す図。
【図１０】従来の、ＡＴＭが直射日光により暖められる例を示す図。
【符号の説明】
【００６９】
１    左フード
２    右フード
３    リアフード
４    トップフード
５    フィルタユニット
６    フィルタトレー
７    トレー上部カバー
８    トレーベース
９    埃吸着フィルタ
１０    排気用スリット
１１    小扉
２０    ＡＴＭ本体
２０−１    表示装置
２０−２    カード挿入口
２０−３    レシート排出口
２１    冷却空気吸気部
２２    装置内空気排気部
３０    ブース一体型ＡＴＭ
【図１】
0004502888.tif 000002
【図２】
0004502888.tif 000003
【図３】
0004502888.tif 000004
【図４】
0004502888.tif 000005
【図５】
0004502888.tif 000006
【図６】
0004502888.tif 000007
【図７】
0004502888.tif 000008
【図８】
0004502888.tif 000009
【図９】
0004502888.tif 000010
【図１０】
0004502888.tif 000011